(57)【要約】【課題】本発明は、月、曜日あるいは日付が表示される無端状の表示シートを絡ませることなく順次回動させて表示させる日捲りカレンダを提供することを目的とするものである。【解決手段】本発明は、日付け表示シート収納ケース２、曜日表示シート収納ケース３および月表示シート収納ケース４内にそれぞれ一対の繰入ローラー６Ａ、６Ｂが設けられ、その下部、即ち表示部５の下端手前に支承板７およびその下方には、その先端が表示部５の下端に圧接されるシート繰出しコントロール板８が設けられた構成とする。【選択図】　　　図１
2004078072.tif 000002
【特許請求の範囲】
【請求項１】
日付、曜日又は月用の表示部が形成される表示シート収納ケース内に、無端状とされる日付、曜日又は月用の表示シートが収納され、該表示シートを表示シート収納ケース内に横架される表示シートの長さ方向に対して直交状に挟持する一対の繰入ローラーを電動モーターによる駆動回転により日ごと又は月ごとに順次表示シート収納ケース内に繰入れて表示部に日付、曜日又は月を順次表示させるカレンダにおいて、
前記一対の繰入ローラーの一方の繰入ローラーの略中央に巻着される一定幅の弾性素材より形成される強制繰入帯部と、
表示シート収納ケース内下部手間に折曲収納される表示シートを支承する支承板とを備える
ことを特徴とするカレンダ。
【請求項２】
前記表示部の下端に、表示シートを押圧するシート繰出しコントロール板を設けた
ことを特徴とする請求項１記載のカレンダ。
【請求項３】
各日付、曜日又は月を認識する前記表示シートに印刷されるバーコードと、
該バーコードを光センサーにより読取られる情報と外部からの各日付、曜日又は月を確定する情報を基に表示シートを周回、停止させる制御手段を備える
ことを特徴とする請求項１又は２記載のカレンダ。
【発明の詳細な説明】
【０００１】
【発明の属する技術分野】
本発明は日捲りカレンダに関する。詳しくは月、曜日および日付を取替えることなく半永久的に使用することができるカレンダに係るものである。
【０００２】
【従来の技術】
従来よりカレンダは、一目で日付や曜日が分かるように印刷された１年分の紙片を一枚づつ捲り取る壁掛け形式のものが使用されている。
【０００３】
しかし１年分の紙片（１年分３６５枚）の厚さによる嵩張り感や美的感覚が欠如する問題があり、この問題を解消するために図１０に示すように、１年分の日付および曜日が印刷された巻紙をロール式日捲り用紙入れ円筒器具１０１内より引き出しながら透明ガイドカバー１０２下面を通して日付および曜日を表示し、日付が変わるごとに順次引き出して切断する構成としたものである。
【０００４】
そこで図１１および図１２にそれぞれ示すように、外装ケース１０３に日付用窓１０４および意思表示部用窓１０５が開口され、１年分の日付および曜日が印刷された日捲り巻きシート１０６を巻き取りリール１０７によって１日分づつ巻き取りながら日付用窓１０４および意思表示部用窓１０５に表示する構成とすることによって月、日付、曜日を半永久的に表示したカレンダがある。
【０００５】
【発明が解決しようとする課題】
しかしながら図１０に示す構成のカレンダでは、日ごとに引き出して前日の紙片を切断し、廃棄しなければならず使い捨てのカレンダとなることから従来のように日ごとに捲り取るカレンダと何ら変わらないこととなる。従って美的感覚は改善されるが不要となった紙片をその都度、廃棄しなければならない問題がある。
【０００６】
また、巻き取り式のカレンダでは、１日分づつ日捲り巻きシート１０６が巻き取りリール１０７によって巻き取られることにより、１日分ごとの紙片を廃棄するという手間が解消される反面、日付では月末、曜日では週末、月では年末に各々のシートを巻き戻す必要があり、非常に煩雑な手間を要する問題があり、更に外装ケース１０３内に巻き取りリール１０７を収納する空間部が必要となる問題が生じる。
【０００７】
また、巻き取りリール１０７に巻き取られた日捲り巻きシート１０６は廃棄し、新年度において新たな日捲り巻きシート１０６の取付けを行わなければならず、これらの日捲り巻きシート１０６の着脱作業に非常に手間がかかる問題がある。
【０００８】
本発明は、以上の点に鑑みて創案されたものであって、月、曜日あるいは日付が表示される無端状の表示シートを絡ませることなく順次回動させて表示させる日捲りカレンダを提供することを目的とするものである。
【０００９】
【課題を解決するための手段】
上記の目的を達成するために、本発明に係るカレンダは、日付、曜日又は月用の表示部が形成される表示シート収納ケース内に、無端状とされる日付、曜日又は月用の表示シートが収納され、該表示シートを表示シート収納ケース内に横架される表示シートの長さ方向に対して直交状に挟持する一対の繰入ローラーを電動モーターによる駆動回転により日ごと又は月ごとに順次表示シート収納ケース内に繰入れて表示部に日付、曜日又は月を順次表示させるカレンダにおいて、前記一対の繰入ローラーの一方の繰入ローラーの略中央に巻着される一定幅の弾性素材より形成される強制繰入帯部と、表示シート収納ケース内下部手間に折曲収納される表示シートを支承する支承板とを備える。
【００１０】
ここで、繰入ローラーの中央部分をゴムなどの弾性部材により形成される強制繰入帯部によって強制的に表示シートの中央部分のみの押圧により、左右へのズレによる表示シートの噛み込みや、停止を未然に防ぐ作用を奏することとなる。
【００１１】
また、支承板によって各表示シート収納ケース内に収納される表示シートの重量を支えた後に、表示シートをシート繰出しコントロール板により表示部の下端で押圧することにより、たるみの無い、張った状態での表示が可能となる。
【００１２】
【発明の実施の形態】
以下、本発明の実施の形態を図面を参酌しながら説明し、本発明の理解に供する。
【００１３】
図１に本発明を適用したカレンダの一例を説明するための説明図、図２に図１における正面説明図を示す。ここで示すカレンダ装置１は、日付け表示シート収納ケース２、曜日表示シート収納ケース３および月表示シート収納ケース４が縦列形成されるものである。
【００１４】
そして日付け表示シート収納ケース２、曜日表示シート収納ケース３および月表示シート収納ケース４の正面側にはそれぞれ表示部５が設けられるものである。更に各日付け表示シート収納ケース２、曜日表示シート収納ケース３および月表示シート収納ケース４内の上部、即ち表示部５の上端の後方位置に一対の繰入ローラー６Ａ、６Ｂが設けられる。
【００１５】
また、日付け表示シート収納ケース２、曜日表示シート収納ケース３および月表示シート収納ケース４内の下部、即ち表示部５の下端手前に支承板７を水平状に設けるものである。
【００１６】
更に支承板７の下方には、その先端が表示部５の下端に圧接されるシート繰出しコントロール板８が水平状に装着されるものである。
【００１７】
また、表示部５の上部後方位置にはバーコードなどの信号を読取る光センサー９がそれぞれ設けられるものである。
【００１８】
ここで表示部５は、各日付け表示シート収納ケース２、曜日表示シート収納ケース３および月表示シート収納ケース４の正面にシート幅および日、曜日および月の印刷の大きさに応じての長さを有する形状とされる。
【００１９】
そして表示部５の前面に対してシートが挿通自在とされる隙間Ａを設けた状態で透明状の外装板１０を設けるものであり、この隙間Ａ内に各シートが挿入されて各日、曜日又は月ごとに移動し表示する。
【００２０】
また繰入ローラーは図３に示すように、日付け表示シート収納ケース、曜日表示シート収納ケースおよび月表示シート収納ケース内に、一対の繰入ローラー６Ａ、６Ｂがその両端が軸支された状態で横架され、一方の繰入ローラー６Ａの略中央にはゴムなどの弾性部材より成る一定幅の強制繰入帯部１１が巻着された構成とするものである。
【００２１】
更に繰入ローラー６Ｂの一方が軸支される枢支穴１２を、繰入ローラー６Ａ方向へ楕円形状とすることで繰入ローラー６Ｂ軸が繰入ローラー６Ａ方向へ摺動可能な機構とし、かつ引張バネ１３によって繰入ローラー６Ａへ押し付ける付勢力が常にかかることとなる。
【００２２】
また、図４に示すように繰入ローラー６Ａおよび繰入ローラー６Ｂ軸の一端にそれぞれ互いに歯合する連動歯車１４Ａおよび１４Ｂを装着し、電動モーター１５の駆動軸に設けられる駆動歯車１６とを歯合させることによって繰入ローラー６Ａおよび繰入ローラー６Ｂを駆動回転させる構成とするものである。
【００２３】
次に図５、図６および図７に日付シート１７、曜日シート１８および月シート１９をそれぞれ示すものである。
【００２４】
日付シート１７の場合には、３１日分の日が連続して印刷された一定幅のシートの両端を印刷部分が表側になるように一体的に連結することによって一つの環状としたエンドレスシートが形成されるものであり、更に日付シート１７の一端側に沿って各日を認識するバーコード２０が印刷された構成とするものである。
【００２５】
また、曜日シート１８の場合には、一週間分の曜日が連続して印刷された一定幅のシートの両端を印刷部分が表側になるように一体的に連結することによって一つの環状としたエンドレスシートが形成されるものであり、更に曜日シート１８の一端側に沿って各曜日を認識するバーコード２０が印刷された構成とするものである。
【００２６】
また、月シート１９の場合には、１２月分の各月が連続して印刷された一定幅のシートの両端を印刷部分が表側になるように一体的に連結することによって一つの環状としたエンドレスシートが形成されるものであり、更に月シート１９の一端側に沿って各月を認識するバーコード２０が印刷された構成とするものである。
【００２７】
また、図８に示すように支承板７は日付け表示シート収納ケース、曜日表示シート収納ケースおよび月表示シート収納ケース内の下部、即ち表示部５の下端手前から、各収納ケースの後部壁面２１に向けて水平状に設けられ、その先端と後部壁面２１との間に各シートが挿通可能となる開口部２２が形成された構成とするものである。
【００２８】
更に支承板７の下部の後部壁面２１の下端より、表示部５の下端に向けて合成樹脂板などの弾性体より形成されるシート繰出しコントロール板８が、その基端のみが固着された状態で水平状に設けられるものであり、その先端はシート繰出しコントロール板８の弾性力によって表示部５の下端に圧接された状態となるように構成されるものである。
【００２９】
また、光センサーは日付シート、曜日シートおよび月シートの一端側に印刷されるバーコードに記された各日、各曜日および各月ごとに設定された信号を読取り、標準電波送信所より送信される日、曜日および月の信号を受信して、これらの信号に応じたバーコード信号が光センサーによって読取られるまで繰入ローラーによって各シートを周回させる構成とするものである。
【００３０】
以上の構成より成る本発明では図９に示すように、日付け表示シート収納ケース２、曜日表示シート収納ケース３および月表示シート収納ケース４の各表示部５と外装板１０との隙間Ａに日付シート１７、曜日シート１８および月シート１９を挿通した状態で一方のシートが繰入ローラー６Ａ、６Ｂによって挟まれた状態、又シートの他方はシート繰出しコントロール板８と表示部５の下端とに挟まれた状態で支承板７と後部壁面２１との間の開口部２１より日付け表示シート収納ケース２および曜日表示シート収納ケース３並びに月表示シート収納ケース４内に幾十にも折り曲げながら収納される。
【００３１】
そして電波受信部によって標準電波送信所より送信される日、曜日および月の信号を受信し、例えば７月２０日土曜日と認識した場合において、各日付け表示シート収納ケース２、曜日表示シート収納ケース３および月表示シート収納ケース４に設けられる繰入ローラー６Ａ、６Ｂを駆動回転させて、各日付シート１７、曜日シート１８および月シート１９を周回させ、その端部に沿って印刷されるバーコードを光センサー９によって読取り、受信した信号と合致した時に周回を停止させて日、曜日および月を表示させる機構とするものである。
【００３２】
この場合、日付シート１７、曜日シート１８および月シート１９は、繰入ローラー６Ａの中央部分をゴムなどの弾性部材により形成される強制繰入帯部１１によって強制的に各収納ケース内に繰入れられるが、各日付シート１７、曜日シート１８および月シート１９の中央部分のみの押圧により、左右へのズレによる日付シート１７、曜日シート１８および月シート１９の噛み込みや、停止を未然に防ぐ作用を奏することとなる。
【００３３】
又支承板７によって各日付け表示シート収納ケース２、曜日表示シート収納ケース３および月表示シート収納ケース４内に収納される各日付シート１７、曜日シート１８および月シート１９の重量を支えた後に、開口部２２より幾十にも折り重ねられた状態から解放されたシートが弾性体より形成されるシート繰出しコントロール板８の付勢力によって押圧された状態で引き出されることにより、表示部５面に対してたるみの無い、張った状態での表示が可能となる。
【００３４】
なお、日、曜日および月の表示は必ずしも標準電波送信所より定時に発信される日、曜日および月の信号を受信して自動的に表示する必要性は無く、例えばタイマーにより自動的に繰入ローラーを駆動回転させて表示させる機構などが考えられるが、時計と組み合わせた形態とすることから、標準電波を利用して時計も同時に合わせた構成とすることが好ましい。
【００３５】
また、日、曜日および月は必ずしも表示するする必要性は無く、日のみ、日と曜日のみの組み合わせなどが考えられ、設置する状況に応じて最も適した組み合わせとすることが好ましい。
【００３６】
【発明の効果】
以上述べて来た如く本発明によれば、日付表示シートおよび曜日表示シート並びに月表示シートを取替えることなく半永久的な活用が可能となるものである。
【００３７】
又各シートの繰入れ機構においては、ローラー全面によって繰出すのではなく、強制繰入帯部によって繰出すことによりシートの横ズレによる噛み込みなどの事故がなく、かつ支承板およびシート繰出しコントロール板によってたるみの無い、スムーズなシートの繰り出しが可能となる。
【００３８】
更にバーコードと標準電波による受信との組み合わせにより、確実に新しい日、曜日あるいは月への表示が自動的に行えるものである。
【図面の簡単な説明】
【図１】本発明を適用したカレンダの一例を説明するための側面断面説明図である。
【図２】図１における正面説明図である。
【図３】本発明を適用したカレンダの繰入ローラーの一例を示す説明図である。
【図４】図３における繰入ローラーの駆動機構の一例を示す説明図である。
【図５】本発明を適用したカレンダの日付シートの一例を示す説明図である。
【図６】本発明を適用したカレンダの曜日シートの一例を示す説明図である。
【図７】本発明を適用したカレンダの月シートの一例を示す説明図である。
【図８】本発明を適用したカレンダの支承板およびシート繰出しコントロール板の一例を示す説明図である。
【図９】本発明を適用したカレンダの作用状態を示す説明図である。
【図１０】従来の壁掛け式日捲りカレンダの一例を示す説明図である。
【図１１】従来の巻き取り式日捲りカレンダの一例を示す説明図である。
【図１２】従来の巻き取り式日捲りカレンダの巻き取り機構を示す説明図である。
【符号の説明】
１　　　カレンダ装置
２　　　日付け表示シート収納ケース
３　　　曜日表示シート収納ケース
４　　　月表示シート収納ケース
５　　　表示部
６Ａ　　繰入ローラー
６Ｂ　　繰入ローラー
７　　　支承板
８　　　シート繰出しコントロール板
９　　　光センサー
１０　　外装板
１１　　強制繰入帯部
１２　　枢支穴
１３　　引張バネ
１７　　日付シート
１８　　曜日シート
１９　　月シート
２０　　バーコード
【図１】
2004078072.tif 000003
【図２】
2004078072.tif 000004
【図３】
2004078072.tif 000005
【図４】
2004078072.tif 000006
【図５】
2004078072.tif 000007
【図６】
2004078072.tif 000008
【図７】
2004078072.tif 000009
【図８】
2004078072.tif 000010
【図９】
2004078072.tif 000011
【図１０】
2004078072.tif 000012
【図１１】
2004078072.tif 000013
【図１２】
2004078072.tif 000014
【手続補正書】
【提出日】平成15年3月3日(2003.3.3)
【手続補正１】
【補正対象書類名】図面
【補正対象項目名】図９
【補正方法】変更
【補正の内容】
【図９】
2004078072.tif 000015